(57)【要約】【課題】本発明は洗浄しやすい携帯撹拌コップを開示した。【解決手段】コップ中本体を含み、前記コップ中本体の中には貯水空間が設置され、前記貯水空間の底部端壁の中には撹拌空間が設置され、前記撹拌空間の中には撹拌機構が設置され、前記撹拌機構が撹拌ブロックを含み、該設備は全体構造には更に合理で巧妙であり、取り付け、メンテナンス及び修理がいずれも便利であり、また当該設備が乾湿分離機能を実現でき、溶液と撹拌装置との直接的な接触を避け、溶液の撹拌装置に対する腐食を改善し、当該設備の使用寿命を延長し、従って当該設備が高い使用と普及価値がある。【選択図】図１
2020151448.tif 000002
【特許請求の範囲】
【請求項１】
コップ中本体を含み、前記コップ中本体の中には貯水空間が設置され、前記貯水空間の底部端壁の中には撹拌空間が設置され、前記撹拌空間の中には撹拌機構が設置され、前記撹拌機構が撹拌ブロックを含み、前記撹拌空間と前記貯水空間との間には可撓性水盛り板が隔て設置され、前記撹拌ブロックが前記撹拌空間の中に回転できるように設置され、前記撹拌ブロックが前記可撓性水盛り板と係合され、前記コップ中本体の底部にはコップ下本体が回転できるように設置され、前記コップ下本体と前記コップ中本体とが回転できるように連結され、前記コップ下本体の中には撹拌動力空間が設置され、前記撹拌動力空間の中には撹拌リングギヤが固定的に設置され、前記撹拌空間と前記撹拌動力空間との間には上下に伸びている撹拌動力軸が回転できるように設置され、前記撹拌空間の中にある前記撹拌動力軸の頂部末端と前記撹拌ブロックの底部端壁とが固定的に連結され、前記撹拌動力空間の中にある前記撹拌動力軸の底部末端には撹拌太陽歯車が固定的に設置され、前記撹拌動力空間の中には撹拌遊星歯車が回転できるように設置され、前記撹拌遊星歯車と前記撹拌リングギヤとが噛合し、前記撹拌遊星歯車と前記撹拌太陽歯車とが噛合することを特徴とする洗浄しやすい携帯撹拌コップ。
【請求項２】
前記コップ中本体の頂部末端には雄ネジが固定的に設置され、前記コップ中本体の頂部にはコップ蓋が設置され、前記コップ蓋の底部末端には雌ネジが固定的に設置され、前記雌ネジと前記雄ネジとが係合され、前記コップ中本体の頂部端壁にはゴム密封リングが固定的に設置され、前記ゴム密封リングと前記コップ蓋とが係合され、コップの密封性を保証することに有利であることを特徴とする請求項１に記載の洗浄しやすい携帯撹拌コップ。
【請求項３】
前記コップ蓋の中には飲水通路が設置され、前記飲水通路と前記貯水空間とが連通し、前記飲水通路の右側端壁の中には快速飲用スライド空間が設置され、前記快速飲用スライド空間の中には快速飲用カバー管が上下にスライドできるように設置され、前記快速飲用カバー管と前記コップ蓋とが係合され、前記快速飲用スライド空間の中には快速飲用スライドブロックが上下にスライドできるように設置され、前記快速飲用スライドブロックの左側端壁と前記快速飲用カバー管の右側端壁とが固定的に連結され、前記快速飲用スライドブロックの中には快速飲用ねじ山が固定的に設置され、前記快速飲用スライド空間の底部端壁の中には快速飲用動力空間が設置され、前記快速飲用動力空間と前記快速飲用スライド空間との間には上下に伸びている快速飲用ねじボルトが回転できるように設置され、前記快速飲用スライド空間の中にある前記快速飲用ねじボルトと前記快速飲用ねじ山とが係合され、前記快速飲用動力空間の中にある前記快速飲用ねじボルトの底部末端には快速飲用従動プーリが固定的に設置され、前記快速飲用動力空間の頂部端壁の中には総合動力空間が設置され、前記総合動力空間と前記快速飲用動力空間との間には上下に伸びている快速飲用動力軸が回転できるように設置され、前記快速飲用動力空間の中にある前記快速飲用動力軸の底部末端には快速飲用主動プーリが固定的に設置され、前記快速飲用主動プーリと前記快速飲用従動プーリとの間には快速飲用動力ベルトが伝動できるように設置され、前記総合動力空間の中にある前記快速飲用動力軸の頂部末端には快速飲用入力歯車が固定的に設置され、前記総合動力空間の中には上下に伸びている総合動力軸が回転できるように設置され、前記総合動力空間の中にある前記総合動力軸の外側端壁には総合従動歯車が固定的に設置され、前記総合従動歯車と前記快速飲用入力歯車とが噛合し、前記総合動力空間の頂部端壁には総合ベルト空間が固定的に設置され、前記総合ベルト空間と前記総合動力空間との間には上下に伸びている総合従動軸が回転できるように設置され、前記総合動力空間の中にある前記総合従動軸の底部末端には総合主動歯車が固定的に設置され、前記総合主動歯車と前記総合従動歯車とが噛合し、前記総合ベルト空間の中にある前記総合従動軸の頂部末端には総合従動プーリが固定的に設置され、前記総合ベルト空間の底部末端には動力出力空間が固定的に設置され、前記動力出力空間と前記総合ベルト空間との間には上下に伸びている総合主動軸が回転できるように設置され、前記総合ベルト空間の中にある前記総合主動軸の頂部末端には総合主動プーリが固定的に設置され、前記総合主動プーリと前記総合従動プーリとの間には総合動力ベルトが伝動できるように設置され、前記動力出力空間の中にある前記総合主動軸の底部末端には総合動力歯車が固定的に設置され、前記総合動力軸の底部末端が前記動力出力空間の中まで伸びており、前記動力出力空間の中にある前記総合動力軸の底部末端には左右に伸びている総合揺動ロッドが回転できるように設置され、前記総合揺動ロッドの右側末端と前記動力出力空間の右側端壁との間には動力戻しばねが弾性的に設置され、前記総合揺動ロッドの右側末端には総合動力スライドブロックが固定的に設置され、前記総合動力スライドブロックの左側端壁には総合動力ラックが固定的に設置され、前記総合動力ラックと前記総合動力歯車とが噛合し、使用者の飲水時間を節約することに有利であることを特徴とする請求項１に記載の洗浄しやすい携帯撹拌コップ。
【請求項４】
前記コップ蓋の頂部端壁には快速飲用シールブロックが左右にスライドできるように設置され、前記総合動力空間の頂部端壁の中には密封動力空間が設置され、前記密封動力空間の中にある前記総合動力軸の頂部末端には密封主動傘歯車が固定的に設置され、前記密封動力空間の中には前後に伸びている密封主動軸が回転できるように設置され、前記密封主動軸の前側末端には密封従動傘歯車が固定的に設置され、前記密封従動傘歯車と前記密封主動傘歯車とが噛合し、前記密封主動軸の後側末端には密封主動ローラが固定的に設置され、前記密封動力空間の中には前後に伸びている密封従動軸が固定的に設置され、前記密封従動軸の外側端壁には密封従動ローラが回転できるように設置され、前記密封従動ローラと前記密封主動ローラとの間には密封動力ベルトが伝動できるように設置され、前記密封動力ベルトには密封スライドブロックが固定的に設置され、前記密封スライドブロックの頂部端壁と前記快速飲用シールブロックの底部端壁とが固定的に連結され、前記密封従動ローラの中には弾性戻し空間が設置され、前記弾性戻し空間の内側端壁と前記密封従動軸の外側端壁との間には弾性トーションバネが弾性的に設置され、快速飲用機構を密封することに有利であることを特徴とする請求項１又は請求項２又は請求項３に記載の洗浄しやすい携帯撹拌コップ。
【請求項５】
前記動力出力空間の中にはタッチ防止押しスライドブロックが前後にスライドできるように設置され、前記タッチ防止押しスライドブロックの後側端壁にはタッチ防止ほぞが固定的に設置され、前記動力出力空間の中にある前記総合揺動ロッドの左側末端にはタッチ防止ほぞ穴が固定的に設置され、前記タッチ防止ほぞ穴と前記タッチ防止ほぞとが係合から離れ、前記タッチ防止押しスライドブロックと前記タッチ防止ほぞ穴との間にはタッチ防止戻しばねが弾性的に設置され、携帯する間に誤ってタッチすることにより飲み物漏れを防止することを特徴とする請求項１に記載の洗浄しやすい携帯撹拌コップ。
【発明の詳細な説明】
【技術分野】
【０００１】
本発明は生活用品分野を取り上げて、具体的には洗浄しやすい携帯撹拌コップである。
【背景技術】
【０００２】
社会の発展につれて、添加物付きの飲み物を飲むことが好きな人が多くなり、従って、撹拌機能を持つコップは人気がますます高まっており、現在撹拌機能を持つコップは刃物や攪拌棒により飲み物を撹拌して飲むが、刃物や攪拌棒がコップに固定し、コップを洗浄しにくい。
従って、既存技術の携帯攪拌コップを更に改善する必要があり、それによりコップの洗浄条件を改善する。
【先行技術文献】
【特許文献】
【０００３】
【特許文献１】中国特許出願公開第１０７１２６０３６号明細書
【発明の概要】
【発明が解決しようとする課題】
【０００４】
本発明の目的は洗浄しやすい携帯撹拌コップを提供し、それは上記の現在の技術中の問題を解決し、コップの洗浄条件を改善できる。
【課題を解決するための手段】
【０００５】
本発明の洗浄しやすい携帯撹拌コップは、コップ中本体を含み、前記コップ中本体の中には貯水空間が設置され、前記貯水空間の底部端壁の中には撹拌空間が設置され、前記撹拌空間の中には撹拌機構が設置され、前記撹拌機構が撹拌ブロックを含み、前記撹拌空間と前記貯水空間との間には可撓性水盛り板が隔て設置され、前記撹拌ブロックが前記撹拌空間の中に回転できるように設置され、前記撹拌ブロックが前記可撓性水盛り板と係合され、前記コップ中本体の底部にはコップ下本体が回転できるように設置され、前記コップ下本体と前記コップ中本体とが回転できるように連結され、前記コップ下本体の中には撹拌動力空間が設置され、前記撹拌動力空間の中には撹拌リングギヤが固定的に設置され、前記撹拌空間と前記撹拌動力空間との間には上下に伸びている撹拌動力軸が回転できるように設置され、前記撹拌空間の中にある前記撹拌動力軸の頂部末端と前記撹拌ブロックの底部端壁とが固定的に連結され、前記撹拌動力空間の中にある前記撹拌動力軸の底部末端には撹拌太陽歯車が固定的に設置され、前記撹拌動力空間の中には撹拌遊星歯車が回転できるように設置され、前記撹拌遊星歯車と前記撹拌リングギヤとが噛合し、前記撹拌遊星歯車と前記撹拌太陽歯車とが噛合する。
【０００６】
優選的には、前記コップ中本体の頂部末端には雄ネジが固定的に設置され、前記コップ中本体の頂部にはコップ蓋が設置され、前記コップ蓋の底部末端には雌ネジが固定的に設置され、前記雌ネジと前記雄ネジとが係合され、前記コップ中本体の頂部端壁にはゴム密封リングが固定的に設置され、前記ゴム密封リングと前記コップ蓋とが係合され、コップの密封性を保証することに有利である。
【０００７】
優選的には、前記コップ蓋の中には飲水通路が設置され、前記飲水通路と前記貯水空間とが連通し、前記飲水通路の右側端壁の中には快速飲用スライド空間が設置され、前記快速飲用スライド空間の中には快速飲用カバー管が上下にスライドできるように設置され、前記快速飲用カバー管と前記コップ蓋とが係合され、前記快速飲用スライド空間の中には快速飲用スライドブロックが上下にスライドできるように設置され、前記快速飲用スライドブロックの左側端壁と前記快速飲用カバー管の右側端壁とが固定的に連結され、前記快速飲用スライドブロックの中には快速飲用ねじ山が固定的に設置され、前記快速飲用スライド空間の底部端壁の中には快速飲用動力空間が設置され、前記快速飲用動力空間と前記快速飲用スライド空間との間には上下に伸びている快速飲用ねじボルトが回転できるように設置され、前記快速飲用スライド空間の中にある前記快速飲用ねじボルトと前記快速飲用ねじ山とが係合され、前記快速飲用動力空間の中にある前記快速飲用ねじボルトの底部末端には快速飲用従動プーリが固定的に設置され、前記快速飲用動力空間の頂部端壁の中には総合動力空間が設置され、前記総合動力空間と前記快速飲用動力空間との間には上下に伸びている快速飲用動力軸が回転できるように設置され、前記快速飲用動力空間の中にある前記快速飲用動力軸の底部末端には快速飲用主動プーリが固定的に設置され、前記快速飲用主動プーリと前記快速飲用従動プーリとの間には快速飲用動力ベルトが伝動できるように設置され、前記総合動力空間の中にある前記快速飲用動力軸の頂部末端には快速飲用入力歯車が固定的に設置され、前記総合動力空間の中には上下に伸びている総合動力軸が回転できるように設置され、前記総合動力空間の中にある前記総合動力軸の外側端壁には総合従動歯車が固定的に設置され、前記総合従動歯車と前記快速飲用入力歯車とが噛合し、前記総合動力空間の頂部端壁には総合ベルト空間が固定的に設置され、前記総合ベルト空間と前記総合動力空間との間には上下に伸びている総合従動軸が回転できるように設置され、前記総合動力空間の中にある前記総合従動軸の底部末端には総合主動歯車が固定的に設置され、前記総合主動歯車と前記総合従動歯車とが噛合し、前記総合ベルト空間の中にある前記総合従動軸の頂部末端には総合従動プーリが固定的に設置され、前記総合ベルト空間の底部末端には動力出力空間が固定的に設置され、前記動力出力空間と前記総合ベルト空間との間には上下に伸びている総合主動軸が回転できるように設置され、前記総合ベルト空間の中にある前記総合主動軸の頂部末端には総合主動プーリが固定的に設置され、前記総合主動プーリと前記総合従動プーリとの間には総合動力ベルトが伝動できるように設置され、前記動力出力空間の中にある前記総合主動軸の底部末端には総合動力歯車が固定的に設置され、前記総合動力軸の底部末端が前記動力出力空間の中まで伸びており、前記動力出力空間の中にある前記総合動力軸の底部末端には左右に伸びている総合揺動ロッドが回転できるように設置され、前記総合揺動ロッドの右側末端と前記動力出力空間の右側端壁との間には動力戻しばねが弾性的に設置され、前記総合揺動ロッドの右側末端には総合動力スライドブロックが固定的に設置され、前記総合動力スライドブロックの左側端壁には総合動力ラックが固定的に設置され、前記総合動力ラックと前記総合動力歯車とが噛合し、使用者の飲水時間を節約することに有利である。
【０００８】
優選的には、前記コップ蓋の頂部端壁には快速飲用シールブロックが左右にスライドできるように設置され、前記総合動力空間の頂部端壁の中には密封動力空間が設置され、前記密封動力空間の中にある前記総合動力軸の頂部末端には密封主動傘歯車が固定的に設置され、前記密封動力空間の中には前後に伸びている密封主動軸が回転できるように設置され、前記密封主動軸の前側末端には密封従動傘歯車が固定的に設置され、前記密封従動傘歯車と前記密封主動傘歯車とが噛合し、前記密封主動軸の後側末端には密封主動ローラが固定的に設置され、前記密封動力空間の中には前後に伸びている密封従動軸が固定的に設置され、前記密封従動軸の外側端壁には密封従動ローラが回転できるように設置され、前記密封従動ローラと前記密封主動ローラとの間には密封動力ベルトが伝動できるように設置され、前記密封動力ベルトには密封スライドブロックが固定的に設置され、前記密封スライドブロックの頂部端壁と前記快速飲用シールブロックの底部端壁とが固定的に連結され、前記密封従動ローラの中には弾性戻し空間が設置され、前記弾性戻し空間の内側端壁と前記密封従動軸の外側端壁との間には弾性トーションバネが弾性的に設置され、快速飲用機構を密封することに有利である。
【０００９】
優選的には、前記動力出力空間の中にはタッチ防止押しスライドブロックが前後にスライドできるように設置され、前記タッチ防止押しスライドブロックの後側端壁にはタッチ防止ほぞが固定的に設置され、前記動力出力空間の中にある前記総合揺動ロッドの左側末端にはタッチ防止ほぞ穴が固定的に設置され、前記タッチ防止ほぞ穴と前記タッチ防止ほぞとが係合から離れ、前記タッチ防止押しスライドブロックと前記タッチ防止ほぞ穴との間にはタッチ防止戻しばねが弾性的に設置され、携帯する間に誤ってタッチすることにより飲み物漏れを防止する。
【発明の効果】
【００１０】
本発明の有益的な効果は：該設備は全体構造には更に合理で巧妙であり、取り付け、メンテナンス及び修理がいずれも便利であり、また当該設備が乾湿分離機能を実現でき、溶液と撹拌装置との直接的な接触を避け、溶液の撹拌装置に対する腐食を改善し、当該設備の使用寿命を延長し、従って当該設備が高い使用と普及価値がある。
【図面の簡単な説明】
【００１１】
本発明の実施例また既存の技術の中の技術方案をもっとはっきり説明できるため、下記に実施例また既存の技術の説明の中に使用する必要がある附図を簡単に紹介し、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１２】
【図１】図１は本発明の洗浄しやすい携帯撹拌コップの全体構成概略図
【図２】図２は図１の中のＡ―Ａの構成概略図
【図３】図３は図１の中のＢの構成概略図
【発明を実施するための形態】
【００１３】
本発明書に開示した全ての特徴、或いは開示した全ての方法または過程中のステップは、互いに排斥する特徴或いはステップ以外に、いかなる方式で組み合わせることができる。
【００１４】
本発明書に開示した全ての特徴は、特別な叙述がない限り、そのほかの同等或いは類似の目的を持つ代替特徴に取り替えられる。つまり特別な叙述がない限り、全ての特徴はただ一連の同等或いは類似の特徴の中の一つの例だけである。
【００１５】
本発明の記載では、理解を必要となることは、「中心」、「縦方向」、「横向」、「長さ」、「幅」、「厚さ」、「上」、「下」、「前」、「後」、「左」、「右」、「垂直」、「水平」、「頂」、「底」、「内」、「外」、「時計回り」、「反時計回り」  などの用語が指示される方向または位置関係が図１に基づいて示される方向または位置関係であり、便利に本発明を説明し、説明を簡略化するためのものだけであり、指示される装置または部品が特定の方向を持たなければならなく、特定の方向で構築し操作されることを指示または暗示することではなく、従って、本発明を制限することではない。
【００１６】
図１〜３に示すように、本発明の洗浄しやすい携帯撹拌コップは、コップ中本体１１６を含み、前記コップ中本体１１６の中には貯水空間１１７が設置され、前記貯水空間１１７の底部端壁の中には撹拌空間１１９が設置され、前記撹拌空間１１９の中には撹拌機構が設置され、前記撹拌機構が撹拌ブロック１６６を含み、前記撹拌空間１１９と前記貯水空間１１７との間には可撓性水盛り板１６７が隔て設置され、前記撹拌ブロック１６６が前記撹拌空間１１９の中に回転できるように設置され、前記撹拌ブロック１６６が前記可撓性水盛り板１６７と係合され、前記コップ中本体１１６の底部にはコップ下本体１１８が回転できるように設置され、前記コップ下本体１１８と前記コップ中本体１１６とが回転できるように連結され、前記コップ下本体１１８の中には撹拌動力空間１２３が設置され、前記撹拌動力空間１２３の中には撹拌リングギヤ１２４が固定的に設置され、前記撹拌空間１１９と前記撹拌動力空間１２３との間には上下に伸びている撹拌動力軸１２０が回転できるように設置され、前記撹拌空間１１９の中にある前記撹拌動力軸１２０の頂部末端と前記撹拌ブロック１６６の底部端壁とが固定的に連結され、前記撹拌動力空間１２３の中にある前記撹拌動力軸１２０の底部末端には撹拌太陽歯車１２１が固定的に設置され、前記撹拌動力空間１２３の中には撹拌遊星歯車１２２が回転できるように設置され、前記撹拌遊星歯車１２２と前記撹拌リングギヤ１２４とが噛合し、前記撹拌遊星歯車１２２と前記撹拌太陽歯車１２１とが噛合する。
【００１７】
有益的には、図１を参照し本出願のシール機構を詳しく紹介し、前記コップ中本体１１６の頂部末端には雄ネジ１１５が固定的に設置され、前記コップ中本体１１６の頂部にはコップ蓋１１２が設置され、前記コップ蓋１１２の底部末端には雌ネジ１１４が固定的に設置され、前記雌ネジ１１４と前記雄ネジ１１５とが係合され、前記コップ中本体１１６の頂部端壁にはゴム密封リング１１３が固定的に設置され、前記ゴム密封リング１１３と前記コップ蓋１１２とが係合され、コップの密封性を保証することに有利である。
【００１８】
有益的には、図１〜図３を参照し本出願の快速飲用機構を詳しく紹介し、前記コップ蓋１１２の中には飲水通路１４５が設置され、前記飲水通路１４５と前記貯水空間１１７とが連通し、前記飲水通路１４５の右側端壁の中には快速飲用スライド空間１６８が設置され、前記快速飲用スライド空間１６８の中には快速飲用カバー管１４４が上下にスライドできるように設置され、前記快速飲用カバー管１４４と前記コップ蓋１１２とが係合され、前記快速飲用スライド空間１６８の中には快速飲用スライドブロック１４７が上下にスライドできるように設置され、前記快速飲用スライドブロック１４７の左側端壁と前記快速飲用カバー管１４４の右側端壁とが固定的に連結され、前記快速飲用スライドブロック１４７の中には快速飲用ねじ山１４８が固定的に設置され、前記快速飲用スライド空間１６８の底部端壁の中には快速飲用動力空間１５１が設置され、前記快速飲用動力空間１５１と前記快速飲用スライド空間１６８との間には上下に伸びている快速飲用ねじボルト１４６が回転できるように設置され、前記快速飲用スライド空間１６８の中にある前記快速飲用ねじボルト１４６と前記快速飲用ねじ山１４８とが係合され、前記快速飲用動力空間１５１の中にある前記快速飲用ねじボルト１４６の底部末端には快速飲用従動プーリ１４９が固定的に設置され、前記快速飲用動力空間１５１の頂部端壁の中には総合動力空間１５５が設置され、前記総合動力空間１５５と前記快速飲用動力空間１５１との間には上下に伸びている快速飲用動力軸１５３が回転できるように設置され、前記快速飲用動力空間１５１の中にある前記快速飲用動力軸１５３の底部末端には快速飲用主動プーリ１５２が固定的に設置され、前記快速飲用主動プーリ１５２と前記快速飲用従動プーリ１４９との間には快速飲用動力ベルト１５０が伝動できるように設置され、前記総合動力空間１５５の中にある前記快速飲用動力軸１５３の頂部末端には快速飲用入力歯車１５４が固定的に設置され、前記総合動力空間１５５の中には上下に伸びている総合動力軸１４３が回転できるように設置され、前記総合動力空間１５５の中にある前記総合動力軸１４３の外側端壁には総合従動歯車１３４が固定的に設置され、前記総合従動歯車１３４と前記快速飲用入力歯車１５４とが噛合し、前記総合動力空間１５５の頂部端壁には総合ベルト空間１２６が固定的に設置され、前記総合ベルト空間１２６と前記総合動力空間１５５との間には上下に伸びている総合従動軸１３２が回転できるように設置され、前記総合動力空間１５５の中にある前記総合従動軸１３２の底部末端には総合主動歯車１３３が固定的に設置され、前記総合主動歯車１３３と前記総合従動歯車１３４とが噛合し、前記総合ベルト空間１２６の中にある前記総合従動軸１３２の頂部末端には総合従動プーリ１２５が固定的に設置され、前記総合ベルト空間１２６の底部末端には動力出力空間１３１が固定的に設置され、前記動力出力空間１３１と前記総合ベルト空間１２６との間には上下に伸びている総合主動軸１２９が回転できるように設置され、前記総合ベルト空間１２６の中にある前記総合主動軸１２９の頂部末端には総合主動プーリ１２８が固定的に設置され、前記総合主動プーリ１２８と前記総合従動プーリ１２５との間には総合動力ベルト１２７が伝動できるように設置され、前記動力出力空間１３１の中にある前記総合主動軸１２９の底部末端には総合動力歯車１４１が固定的に設置され、前記総合動力軸１４３の底部末端が前記動力出力空間１３１の中まで伸びており、前記動力出力空間１３１の中にある前記総合動力軸１４３の底部末端には左右に伸びている総合揺動ロッド１３５が回転できるように設置され、前記総合揺動ロッド１３５の右側末端と前記動力出力空間１３１の右側端壁との間には動力戻しばね１４２が弾性的に設置され、前記総合揺動ロッド１３５の右側末端には総合動力スライドブロック１３０が固定的に設置され、前記総合動力スライドブロック１３０の左側端壁には総合動力ラック１４０が固定的に設置され、前記総合動力ラック１４０と前記総合動力歯車１４１とが噛合し、使用者の飲水時間を節約することに有利である。
【００１９】
有益的には、図１〜図３を参照し本出願の前記快速飲用機構の密封機構を詳しく紹介し、前記コップ蓋１１２の頂部端壁には快速飲用シールブロック１１１が左右にスライドできるように設置され、前記総合動力空間１５５の頂部端壁の中には密封動力空間１５７が設置され、前記密封動力空間１５７の中にある前記総合動力軸１４３の頂部末端には密封主動傘歯車１５６が固定的に設置され、前記密封動力空間１５７の中には前後に伸びている密封主動軸１５９が回転できるように設置され、前記密封主動軸１５９の前側末端には密封従動傘歯車１５８が固定的に設置され、前記密封従動傘歯車１５８と前記密封主動傘歯車１５６とが噛合し、前記密封主動軸１５９の後側末端には密封主動ローラ１７０が固定的に設置され、前記密封動力空間１５７の中には前後に伸びている密封従動軸１６４が固定的に設置され、前記密封従動軸１６４の外側端壁には密封従動ローラ１６２が回転できるように設置され、前記密封従動ローラ１６２と前記密封主動ローラ１７０との間には密封動力ベルト１６０が伝動できるように設置され、前記密封動力ベルト１６０には密封スライドブロック１６１が固定的に設置され、前記密封スライドブロック１６１の頂部端壁と前記快速飲用シールブロック１１１の底部端壁とが固定的に連結され、前記密封従動ローラ１６２の中には弾性戻し空間１６５が設置され、前記弾性戻し空間１６５の内側端壁と前記密封従動軸１６４の外側端壁との間には弾性トーションバネ１６３が弾性的に設置され、快速飲用機構を密封することに有利である。
【００２０】
有益的には、図１〜図２を参照し本出願の誤ってタッチ防止機構を詳しく紹介し、前記動力出力空間１３１の中にはタッチ防止押しスライドブロック１３９が前後にスライドできるように設置され、前記タッチ防止押しスライドブロック１３９の後側端壁にはタッチ防止ほぞ１３７が固定的に設置され、前記動力出力空間１３１の中にある前記総合揺動ロッド１３５の左側末端にはタッチ防止ほぞ穴１３６が固定的に設置され、前記タッチ防止ほぞ穴１３６と前記タッチ防止ほぞ１３７とが係合から離れ、前記タッチ防止押しスライドブロック１３９と前記タッチ防止ほぞ穴１３６との間にはタッチ防止戻しばね１３８が弾性的に設置され、携帯する間に誤ってタッチすることにより飲み物漏れを防止する。
【００２１】
下記に、出願人は図１〜３と上記に記述した本出願の洗浄しやすい携帯撹拌コップの具体的な構成を参考し混合飲み物の使用ステップを詳しく紹介する：まず、初期状態にある時、前記快速飲用シールブロック１１１と前記コップ蓋１１２の左右両端とが係合され、前記タッチ防止ほぞ１３７が前記タッチ防止ほぞ穴１３６との係合から離れ、前記快速飲用スライドブロック１４７が最大限に前記快速飲用スライド空間１６８の底部に位置する。
【００２２】
当該設備を使用するとき、使用者が飲み物を前記貯水空間１１７の中に入れ、またコップ蓋１１２を前記コップ中本体１１６と係合させ、片手で前記コップ中本体１１６を握って固定し、同時に、もう一つの手で前記コップ下本体１１８を握って固定し、かつ、左右に回転させ、前記コップ下本体１１８が前記撹拌リングギヤ１２４を駆動し回転させ、前記撹拌リングギヤ１２４が前記撹拌遊星歯車１２２を駆動し回転させ、前記撹拌遊星歯車１２２が前記撹拌太陽歯車１２１を駆動し回転させ、前記撹拌太陽歯車１２１が前記撹拌動力軸１２０を駆動し回転させ、前記撹拌動力軸１２０が前記撹拌ブロック１６６を駆動し回転させ、前記撹拌ブロック１６６が前記可撓性水盛り板１６７を駆動し上下にスライドさせ、前記可撓性水盛り板１６７が前記貯水空間１１７の中にある飲み物と溶液を均一に撹拌する。
【００２３】
使用者が飲むとき、使用者が前記タッチ防止押しスライドブロック１３９を押し後側にスライドさせ、前記タッチ防止押しスライドブロック１３９が前記タッチ防止ほぞ１３７を駆動し後側にスライドさせ、前記タッチ防止ほぞ１３７が前記タッチ防止ほぞ穴１３６と係合され、使用者が前記タッチ防止押しスライドブロック１３９をスライドさせ、前記タッチ防止押しスライドブロック１３９が前記タッチ防止ほぞ１３７を駆動し後側にスライドさせ、前記タッチ防止ほぞ１３７が前記タッチ防止ほぞ穴１３６を駆動し後側にスライドさせ、前記タッチ防止ほぞ穴１３６が前記総合揺動ロッド１３５を駆動し後側にスライドさせ、前記総合揺動ロッド１３５が前記総合動力スライドブロック１３０を駆動し後側にスライドさせ、前記総合動力スライドブロック１３０が前記総合動力ラック１４０を駆動し後側にスライドさせ、前記総合動力ラック１４０が前記総合動力歯車１４１を駆動し回転させ、前記総合動力歯車１４１が前記総合主動軸１２９を駆動し回転させ、前記総合主動軸１２９が前記総合主動プーリ１２８を駆動し回転させ、前記総合主動プーリ１２８が前記総合従動プーリ１２５を駆動し回転させ、前記総合従動プーリ１２５が前記総合従動軸１３２を駆動し回転させ、前記総合従動軸１３２が総合主動歯車１３３を駆動し回転させ、前記総合主動歯車１３３が前記総合従動歯車１３４を駆動し回転させ、前記総合従動歯車１３４が前記総合動力軸１４３を駆動し回転させ、前記総合動力軸１４３が前記密封主動傘歯車１５６を駆動し回転させ、前記密封主動傘歯車１５６が前記密封従動傘歯車１５８を駆動し回転させ、前記密封従動傘歯車１５８が前記密封主動軸１５９を駆動し回転させ、前記密封主動軸１５９が前記密封主動ローラ１７０を駆動し回転させ、前記密封主動ローラ１７０が前記密封動力ベルト１６０を駆動し回転させ、前記密封動力ベルト１６０が前記密封スライドブロック１６１を駆動し右側にスライドさせ、前記密封スライドブロック１６１が前記快速飲用シールブロック１１１を駆動し右側にスライドさせ、同時に、前記密封動力ベルト１６０が前記密封従動ローラ１６２を駆動し回転させ、前記弾性トーションバネ１６３の弾性位置エネルギーが増加し、同時に、前記総合従動歯車１３４が前記快速飲用入力歯車１５４を駆動し回転させ、前記快速飲用入力歯車１５４が前記快速飲用動力軸１５３を駆動し回転させ、前記快速飲用動力軸１５３が前記快速飲用主動プーリ１５２を駆動し回転させ、前記快速飲用主動プーリ１５２が快速飲用従動プーリ１４９を駆動し回転させ、前記快速飲用従動プーリ１４９が快速飲用ねじボルト１４６を駆動し回転させ、前記快速飲用ねじボルト１４６が前記快速飲用スライドブロック１４７を駆動し上にスライドさせ、前記快速飲用スライドブロック１４７が前記快速飲用カバー管１４４を駆動し上にスライドさせ、前記快速飲用カバー管１４４が前記快速飲用シールブロック１１１から伸び出し、使用者が快速飲用カバー管１４４により飲み物を飲む。
【００２４】
使用者が飲み終わると、前記タッチ防止押しスライドブロック１３９を放し、前記タッチ防止押しスライドブロック１３９が前記タッチ防止ほぞ１３７を駆動し前にスライドさせ、前記タッチ防止ほぞ１３７が前記タッチ防止ほぞ穴１３６との係合から離れ、前記総合揺動ロッド１３５が前記動力戻しばね１４２の弾性位置エネルギーの作用のもとで前にスライドし、前記総合揺動ロッド１３５が前記総合動力スライドブロック１３０を駆動し前にスライドさせ、前記総合動力スライドブロック１３０が前記総合動力ラック１４０を駆動し前にスライドさせ、前記総合動力ラック１４０が前記総合動力歯車１４１を駆動し逆方向に回転させ、前記総合動力歯車１４１が上記伝動機構により前記快速飲用カバー管１４４を駆動し下にスライドさせ、同時に、前記密封従動ローラ１６２が前記弾性トーションバネ１６３の弾性位置エネルギーの作用のもとで逆方向に回転し、前記密封従動ローラ１６２が前記密封動力ベルト１６０を駆動し逆方向に回転させ、前記密封動力ベルト１６０が前記密封スライドブロック１６１を駆動し左側にスライドさせ、前記密封スライドブロック１６１が前記快速飲用シールブロック１１１を駆動し左側にスライドさせ、前記快速飲用シールブロック１１１が前記コップ蓋１１２の両端と係合され、当該設備が初期状態に戻る。
【００２５】
上記の詳細な分析から分かることは：撹拌装置とコップの内部空間との間には可撓性水盛り板が設置されるため、撹拌装置を溶液から分離し、コップを洗浄する間に撹拌装置が洗浄作業に妨げることを防止する。
【００２６】
従って、本出願の方法は全体構造には更に合理で巧妙であり、取り付け、メンテナンス及び修理がいずれも便利であり、また当該設備が乾湿分離機能を実現でき、溶液と撹拌装置との直接的な接触を避け、溶液の撹拌装置に対する腐食を改善し、当該設備の使用寿命を延長し、従って当該設備が高い使用と普及価値がある。
【００２７】
以上に述べたのはただ本発明の具体的な実施方式で、しかし本発明の保護範囲はここに限らないである。全部の創造的な労働を通じなくて思いついた変化と取替は本発明の保護範囲にカバーされる。だから本発明の保護範囲は権利要求書が限定される保護範囲を標準とする。
【図１】
2020151448.tif 000003
【図２】
2020151448.tif 000004
【図３】
2020151448.tif 000005